(57)【要約】【課題】用紙カセットの用紙が無くなったとき、又は用紙カセットが装置本体から引き出されたときでも、表示部を見ればその用紙カセットの用紙サイズを容易に確認できる記録装置を提供する。【解決手段】装置本体に引き出し可能に設けられるとともに、それぞれ異なるサイズの用紙を収納する用紙カセットと、装置本体図５１及び装置本体図５１における用紙カセット部分に各用紙カセットに収納された用紙サイズを表示する表示画面５０を有する表示部とを備える。表示部は、例えばＡ４の用紙カセットのＡ４用紙が無くなったとき、又はＡ４の用紙カセットが装置本体から引き出されたときには、装置本体図５１におけるＡ４の用紙カセット部分に当該用紙カセットの用紙サイズの“Ａ４”を点滅表示する。【選択図】      図４
2004161413.tif 000002
【特許請求の範囲】
【請求項１】
装置本体に引き出し可能に設けられるとともに、それぞれ異なるサイズの用紙を収納する用紙カセットと、装置本体図及びこの装置本体図における用紙カセット部分に各用紙カセットに収納された用紙サイズを表示する表示部とを備えた記録装置であって、
前記表示部は、用紙カセットの用紙が無くなったとき、又は用紙カセットが装置本体から引き出されたときにも、装置本体図における用紙カセット部分に当該用紙カセットの用紙サイズを表示することを特徴とする記録装置。
【請求項２】
前記表示部は、用紙カセットの用紙が無くなったとき、又は用紙カセットが装置本体から引き出されたときに、当該用紙カセットの用紙サイズを点滅表示することを特徴とする請求項１記載の記録装置。
【発明の詳細な説明】
【０００１】
【発明の属する技術分野】
この発明は、ファクシミリ装置、コピー装置、それらの複合機等に使用される記録装置に関する。
【０００２】
【従来の技術】
例えばコピー装置では、それぞれ異なるサイズの用紙を収納する複数の用紙カセットが装置本体に引き出し可能に設けられている。また、装置本体には、図６に概略図で示すように、装置本体図６１及びこの装置本体図６１における用紙カセット部分に各用紙カセットに収納された用紙サイズ（Ｂ５，Ａ４，Ａ３）を表示する表示画面６０を有する表示部が設けられている。
【０００３】
図６の表示画面６０では、３つの用紙カセットが装置本体に設けられており、各用紙カセットにＢ５，Ａ４，Ａ３の用紙が収納されている。その各用紙カセットに用紙が有るときや、用紙カセットが装置本体にセットされているとき（装置本体から引き出されていないとき）は、図６のように各用紙カセットの位置に、その用紙カセットの用紙サイズがそれぞれ表示される。このため、ユーザはその表示を見ることで、どの用紙カセットにどのようなサイズの用紙が収納されているか容易に確認できる。
【０００４】
これに対して、用紙カセットに用紙が無くなったときや、用紙カセットが装置本体から引き出されたときは、例えばＡ４の用紙カセットを例にすると、図７に示すように、そのＡ４の用紙カセットの位置の用紙サイズ“Ａ４”が表示されなくなり、中段の用紙カセットに入っていた用紙サイズが表示画面６０を見ただけでは分からなくなり不便であった。
【０００５】
この表示動作について図８のフロー図を参照して概説すると、ステップＳＴ１１において、コピー待機中は表示部の表示画面６０に装置本体図６１が表示されている（図６参照）。そして、ステップＳＴ１２において、用紙カセットが装置本体から引き出された（オープン）か判定し、ＮＯのときは、更にステップＳＴ１３において、用紙カセットに用紙が有るか判定し、有るときは、ステップＳＴ１４において、装置本体図６１の各用紙カセットの位置に用紙サイズを表示する。用紙カセットが引き出されたときや、用紙カセットに用紙が無いときは、ステップＳＴ１５において、当該用紙カセットの位置に表示された用紙サイズを表示しない（図７参照）。
【０００６】
一方、カセットの装着の有無、カセット内の用紙の有無、カセット内に収容される用紙のサイズを検出するセンサを設け、カセットが装着されていると判断された場合には、そのカセットに用紙がないかどうかを判断し、用紙がないときは、予め記憶しておいた用紙サイズをＲＡＭから読み出してＬＣＤに表示するとともに、用紙の補給を促す旨をＬＣＤに表示する技術がある（例えば、特許文献１参照）。
【０００７】
また、オペレータが設定した設定用紙サイズと、用紙センサが検出した検出用紙サイズとを比較し、両用紙サイズが異なるときは、▲１▼画像形成動作を停止する、▲２▼検出用紙サイズを用紙サイズ表示部のいずれかに変更表示する、▲３▼検出用紙サイズと同一サイズの用紙が収容された給紙トレイが有る場合には、その給紙トレイから用紙を供給する等の技術がある（例えば、特許文献２参照）。
【０００８】
【特許文献１】
特開平１０−３１６２５３号公報
【０００９】
【特許文献２】
特開平１１−６５３７０号公報
【００１０】
【発明が解決しようとする課題】
上記特許文献１記載の技術では、用紙が無い場合に、ＲＡＭから読み出した用紙サイズと用紙補給の旨を表示しているが、どのカセットの用紙が無く、またどのカセットに用紙を補給すればいいのか分かり難い。つまり、特許文献１には、装置本体図とともに装置本体図の用紙カセット部分に各用紙カセット毎に用紙サイズを表示することは明記されていないので、単に用紙サイズと用紙補給の旨の表示がなされるだけでは、ユーザは表示を見ただけでは、どのカセットの用紙が無く、またどのカセットに表示サイズの用紙を補給すればいいのかを簡単に認識できない。
【００１１】
上記特許文献２記載の技術では、オペレータが設定した設定用紙サイズと、用紙センサが検出した検出用紙サイズとを比較し、その比較結果に基づいて第１〜第６の実施形態によりそれぞれ対応しているが、この特許文献２には、装置本体図の用紙カセット部分に各用紙カセット毎に用紙サイズを表示する点は全く記載されていない。
【００１２】
この発明は、そのような実状に着目してなされたものであって、用紙カセットの用紙が無くなったとき、又は用紙カセットが装置本体から引き出されたときでも、表示部を見ればその用紙カセットの用紙サイズを容易に確認できる記録装置を提供することを目的としている。
【００１３】
【課題を解決するための手段】
前記目的を達成するために、この発明の請求項１記載の記録装置は、装置本体に引き出し可能に設けられるとともに、それぞれ異なるサイズの用紙を収納する用紙カセットと、装置本体図及びこの装置本体図における用紙カセット部分に各用紙カセットに収納された用紙サイズを表示する表示部とを備えたものであって、前記表示部は、用紙カセットの用紙が無くなったとき、又は用紙カセットが装置本体から引き出されたときにも、装置本体図における用紙カセット部分に当該用紙カセットの用紙サイズを表示することを特徴とする。
【００１４】
これにより、ユーザは表示部を見れば、装置本体から引き出された用紙カセット、又は用紙が無くなった用紙カセットに入っていた用紙のサイズが何であるかを容易に認識できる。
【００１５】
なお、用紙サイズを表示するに際しては、該当の用紙カセットの用紙サイズを点滅表示することで、用紙カセットのエラーであること（用紙カセットの用紙が無くなったこと、又は用紙カセットが装置本体から引き出されたこと）がユーザにとってより分かり易くなる。
【００１６】
【発明の実施の形態】
以下、実施の形態により、この発明を更に詳細に説明する。
【００１７】
その実施形態に係る記録装置を備えた複合機の外観斜視図を図１に示す。この複合機は、コピー装置とファクシミリ装置を兼用するものであり、この複合機の上部には原稿を読み取るための読み取り部４０が、手前側にはＬＣＤ等の表示部２５及び数字キー、文字キー、種々のファンクションキー等を備えた操作部２６がそれぞれ備えられている。
【００１８】
読み取り部４０は主要には、複合機の本体の右寄りの位置に配置されたブックプラテンカバー２０と、左寄りの位置に配置された原稿ガイド機構３０とで構成される。ブックプラテンカバー２０は、複合機の本体の奥寄りの位置を支点としてヒンジ状に取付けられており、複合機の本体に対して手前の部分が開口するように開閉可能に設けられている。このブックプラテンカバー２０は、ＡＤＦ方式による読み取り前の原稿が載置される原稿供給トレイ２１をその上部に、読み取り後の原稿が排出される原稿排出トレイ２２を原稿供給トレイ２１の下側にそれぞれ備えている。
【００１９】
原稿供給トレイ２１には、一対の原稿ガイド２３が当該トレイ２１にセットされた原稿の給紙方向と直交する方向にスライド可能に備えられている。この一対の原稿ガイド２３は原稿供給トレイ２１上でその中心線から常に等距離に位置するように連動する構成となっており、互いに同距離だけ反対方向に移動する。
【００２０】
複合機の本体の前側には、それぞれ異なるサイズの用紙を収納する２つの用紙カセット３５，３６が本体から手前側に引き出し可能に設けられている。ここでは、２つの用紙カセット３５，３６が用意されているが、３つ以上でもよいのは勿論である。
【００２１】
この複合機の構成の一例を示すブロック図を図２に示す。図２において、主制御部としてのＣＰＵ（中央処理装置）１は、当該複合機を構成する各部を統括制御する機能を有する。また、ＣＰＵ１は、用紙カセット３５，３６の各用紙が無くなったとき、又は用紙カセット３５，３６が本体から引き出されたときには、表示部７に対して、表示された本体図における用紙カセット部分に当該用紙カセットの用紙サイズを点滅表示させる機能を有する。
【００２２】
このＣＰＵ１には、ＮＣＵ（網制御回路：Ｎｅｔｗｏｒｋ  Ｃｏｎｔｒｏｌ  Ｕｎｉｔ）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Ｃｏｄｅｒ  ａｎｄ  Ｄｅｃｏｄｅｒ  ）１１、ＬＡＮ  Ｉ／Ｆ１２がバス１３を介して接続されている。
【００２３】
ＮＣＵ２は、ＣＰＵ１により制御されて、通信回線である電話回線網（ＰＳＴＮ）１４との接続を制御するとともに、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．８に従ったファクシミリ伝送制御手順に基づいて、Ｖ．１７、Ｖ．２７ｔｅｒ、Ｖ．２９等に従った送信データの変調及び受信データの復調を行う。具体的には本来はデジタル信号である送信データをアナログの音声信号に変調してＮＣＵ２を介して電話回線網１４に送出し、また逆に電話回線網１４からＮＣＵ２を介して受信したアナログの音声信号をデジタル信号に復調する。
【００２４】
ＲＯＭ４は、この複合機全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶し、また外部から電話回線網１４とＭＯＤＥＭ３を介して受信した画像データも圧縮状態で記憶する。
【００２５】
表示部７は、当該複合機の本体図と、この本体図の用紙カセット部分に各用紙カセットに収納された用紙サイズとを表示する。また、表示部７は、アイコン、キーボタンの表示や、データの送受信に必要なメッセージ内容、ワンタッチ登録モードでの登録操作方法、ワンタッチ登録画面等の他、操作部８の操作により入力された電話番号やＦＡＸ番号等を表示する。この表示部７としては、ＣＲＴディスプレイやＬＣＤ（液晶表示装置）が用いられる。
【００２６】
操作部８は、電話番号やＦＡＸ番号を入力するためのテンキー、相手先の電話番号やＦＡＸ番号をワンタッチで呼び出すワンタッチキー、相手先の電話番号やＦＡＸ番号を短縮登録する登録キー、ＦＡＸやコピーの開始等を指示するスタートキー、ＦＡＸモード・コピーモード・スキャナモード等の複数の動作モードについてのモード切替えを行うための動作モード切替キー等を有する。
【００２７】
画像読み取り部９は、ＦＡＸ送信するとき又はコピーするときに、原稿の画像データを光学的に走査して読み取る。画像記録部１０は、電子写真方式のプリンタよりなり、受信画像データやコピー動作において画像読み取り部９で読み取った原稿の画像データを記録紙上に記録する。
【００２８】
ＣＯＤＥＣ１１は、読み取った画像データを送信又は記憶するためにＭＨ、ＭＲ、ＭＭＲ方式等により符号化（エンコード）し、受信画像データを画像記録部１０により記録するために復号（デコード）する。ＬＡＮ  Ｉ／Ｆ１２は、ＰＣ（パーソナルコンピュータ）、その他のＬＡＮ（ローカルエリアネットワーク）１５を構成する外部機器と接続され、ここを介して外部機器とのデータ授受を行う。
【００２９】
このように構成した複合機における表示部７の表示について、図３及び図４を参照して説明する。図３及び図４は、表示部７の表示画面５０（コピー待機中の表示）を示す。この表示画面５０には、装置本体図５１が表示されるとともに、その装置本体図５１における用紙カセット部分に各用紙カセットに収納された用紙サイズが表示される。ここでは、５つの用紙カセットが用意されており、各用紙カセットにはそれぞれ異なるサイズ（Ａ４，Ａ３，Ｂ４，Ａ４Ｒ，Ｂ５）の用紙が収納されている。
【００３０】
図３において、全ての用紙カセットが装置本体にセットされ、しかもいずれの用紙カセットにも用紙が有るときは、各用紙カセットの用紙サイズが対応の用紙カセット位置に表示される。仮に、最上段のＡ４の用紙カセットのＡ４用紙が無くなった場合、又はＡ４の用紙カセットを装置本体から引き出した場合は、図４に示すように、Ａ４の用紙カセットの位置に用紙サイズの“Ａ４”が点滅表示される。従って、ユーザは、表示画面５０を見れば、最上段のＡ４の用紙カセットがエラー状態にあることが容易に分かるだけでなく、エラー状態の用紙カセットに入っている用紙のサイズも容易に認識できる。しかも、用紙サイズが点滅表示されるので、ユーザにとってはより分かり易い。
【００３１】
つまり、最上段の用紙カセットの用紙が無くなっても、その用紙カセットにはＡ４用紙が入っていたことや、或いは最上段の用紙カセットを装置本体から引き出しても、引き出した用紙カセットにはＡ４用紙が入っていることが容易に認識できる。
【００３２】
次に、この複合機の表示部７の表示動作について図５のフロー図を参照して説明する。まず、ステップＳＴ１において、前記したようにコピー待機中は、表示部７の表示画面５０に装置本体図５１を表示する（図３参照）。このコピー待機中に、ステップＳＴ２において、用紙カセットが装置本体から引き出されたか（装置本体から引き出された用紙カセットが有るか）判定し、引き出されていないときは、ステップＳＴ３において、各用紙カセットに用紙が有るか判定する。全ての用紙カセットに用紙が有るときは、ステップＳＴ４において、装置本体図５１における用紙カセット部分に各用紙カセットに収納された用紙サイズを表示する（図３参照）。
【００３３】
一方、ステップＳＴ２において、用紙カセットが装置本体から引き出された場合、及びステップＳＴ３において、用紙カセットは引き出されていないが、用紙カセットに用紙が無い場合は、ステップＳＴ５において、引き出された用紙カセット又は用紙が無くなった用紙カセットの用紙サイズを、対応の用紙カセット位置に点滅表示する（図４参照）。この点滅表示により、エラー状態の用紙カセット及び用紙サイズがユーザに一層分かり易くなる。
【００３４】
なお、図５のフロー図では、用紙カセットを引き出したとき、及び用紙カセットの用紙が無くなったときに、いずれも用紙サイズを点滅表示しているが、用紙カセットを引き出したときと用紙カセットの用紙が無くなったときとで、用紙サイズの表示を異なる表示にしてもよい。例えば、用紙カセットを引き出したときに用紙サイズをそのまま表示し、用紙カセットの用紙が無くなったときに用紙サイズを点滅表示したり、その反対に用紙カセットを引き出したときに用紙サイズを点滅表示し、用紙カセットの用紙が無くなったときに用紙サイズをそのまま表示する。或いは、いずれの場合も用紙サイズを点滅表示するが、その点滅間隔を変えてもよい。
【００３５】
【発明の効果】
以上説明したように、請求項１記載の発明によれば、ユーザは表示部を見れば、装置本体から引き出した用紙カセット、又は用紙が無くなった用紙カセットに入っていた用紙のサイズが何であるかを容易に認識できる。
【００３６】
請求項２記載の発明によれば、用紙カセットのエラーであること（用紙カセットの用紙が無くなったこと、又は用紙カセットが装置本体から引き出されたこと）がユーザにとってより分かり易くなる。
【図面の簡単な説明】
【図１】実施形態に係る記録装置を備えた複合機（コピー装置とファクシミリ装置を兼用するもの）の外観斜視図である。
【図２】同複合機の構成の一例を示すブロック図である。
【図３】同複合機の表示部の表示画面（全ての用紙カセットがエラーでない場合）を示す図である。
【図４】同複合機の表示部の表示画面（Ａ４の用紙カセットがエラーである場合）を示す図である。
【図５】同複合機の表示部の表示動作を示すフロー図である。
【図６】従来例に係るコピー装置の表示部の表示画面（全ての用紙カセットがエラーでない場合）を示す図である。
【図７】従来例に係るコピー装置の表示部の表示画面（Ａ４の用紙カセットがエラーである場合）を示す図である。
【図８】従来例に係るコピー装置の表示部の表示動作を示すフロー図である。
【符号の説明】
１            ＣＰＵ
７，２５      表示部
８，２６      操作部
９            画像読み取り部
１０          画像記録部
３５，３６    用紙カセット
５０          表示画面
５１          装置本体図
【図１】
2004161413.tif 000003
【図２】
2004161413.tif 000004
【図３】
2004161413.tif 000005
【図４】
2004161413.tif 000006
【図５】
2004161413.tif 000007
【図６】
2004161413.tif 000008
【図７】
2004161413.tif 000009
【図８】
2004161413.tif 000010